(57)【要約】【課題】構造上塞ぐことができない下皿出口から、球通路に連通する空間を通して不正行為部材を遊技領域へ侵入させて行なう不正行為を確実に防止する。【解決手段】発射球を遊技領域への投入位置まで案内する球経路１４と、該球経路と遊技領域１８Ａとの間を仕切ると共に、入賞しなかったアウト球を、アウト口へ案内する内レール２８と、遊技領域を覆う開閉可能な前面扉ユニットに嵌め込まれたペアガラスユニット３６と、を備えたパチンコ遊技機において、前面扉ユニットを閉じたときに、該前面扉ユニットと前記内レール２８との間に、両者間の隙間を密閉するパッキン材４０を、前記ファール球戻り口の上方に位置し、且つ、前記球経路に連通する空間の球発射方向始点に対応する内レール上の位置から、球発射方向に位置する内レールの全長又は一部に亘って配設した。【選択図】図７
2008119246.tif 000002
【特許請求の範囲】
【請求項１】
発射球を遊技領域への投入位置まで案内すると共に、遊技領域へ投入されなかったファール球を、該球を下皿出口へ落下させるファール球戻り口まで案内する球経路と、
該球経路と遊技領域との間を仕切ると共に、該遊技領域に投入され、入賞しなかったアウト球を、下端に位置するアウト口へ案内する内レールと、
遊技領域を覆う開閉可能な前面扉ユニットと、を備えたパチンコ遊技機において、
前面扉ユニットを閉じたときに、該前面扉ユニットと前記内レールとの間に、両者間の隙間を密閉するパッキン材を、
前記ファール球戻り口の上方に位置し、且つ、前記球経路に連通する空間の球発射方向始点に対応する内レール上の位置から、球発射方向に位置する内レールの全長又は一部に亘って配設したことを特徴とするパチンコ遊技機。
【請求項２】
前記前面扉ユニットには、周囲がガラスフレームで支持されたペアガラスユニットが嵌め込まれ、
前記パッキン材が、前記ガラスフレームに形成されている溝部に嵌挿され、
前記内レールの前記ペアガラスユニット側の前端に、前記パッキン材が当接するパッキン受け部が形成されていることを特徴とする請求項１に記載のパチンコ遊技機。
【発明の詳細な説明】
【技術分野】
【０００１】
本発明は、パチンコ遊技機、特に遊技時に球が投入される遊技領域に対する不正行為を有効に防止することができるパチンコ遊技機に関する。
【背景技術】
【０００２】
従来のパチンコ遊技機では、ピアノ線等を使った、いわゆるゴト行為と呼ばれる不正行為を防止するために、種々の対策が採られている。その１つとして、ガラス板が嵌め込まれているガラス扉（前面扉）と、遊技盤が嵌め込まれているプラ枠に、各側部に沿って対向する位置にそれぞれリブを立てることにより、ガラス扉を閉じてプラ枠と向かい合った状態にすると、ガラス扉のリブとプラ枠のリブとが互いに逆方向から交差した、いわゆるネズミ返し構造になるようにして、ガラス枠とプラ枠の隙間からピアノ線等の不正行為部材を侵入させる不正行為を防止するようにしたものが知られている。
【０００３】
又、特許文献１には、弾性体からなる不正防止部材を、プラ枠の側部に沿ってガラス扉方向に突出するように配設することにより、ガラス扉を閉じた際に該ガラス扉に押されて弾性変形され、プラ枠との間に挟み込まれた状態になるようにして、両者間の隙間を完全に無くすことにより、ピアノ線等の不正行為部材の侵入を防止するものが開示されている。
【０００４】
【特許文献１】特開２００４−２７５２５７号公報
【発明の開示】
【発明が解決しようとする課題】
【０００５】
しかしながら、パチンコ遊技機は、図１にプラ枠ユニット１０を示すように、打撃槌１２で発射された球が、球経路１４に案内され、その上端の投入位置１４Ａから遊技盤１８の遊技領域１８Ａへ投入されると共に、遊技領域１８Ａへ投入されなかったファール球は、該球経路１４により逆方向に案内され、下方に設けられているファール球戻り口１６から落下され、下皿２０にその出口２２を介して排出されるようになっている。
【０００６】
従って、図１から下皿２０と、その上方のカバー２４とを外した状態を、図２に示すように、その構造上、下皿出口２２から遊技領域１８Ａまで球が通過できるだけの空間が存在するため、該下皿出口２２から、球経路１４を構成する外レール１４Ｂの後端に位置する前記ファール球戻り口１６を介してピアノ線等の不正行為部材を侵入させることができ、更に、球経路１４に連通する空間を通過させ、遊技領域１８Ａにおいて入賞しなかったアウト球をアウト口２６まで案内する内レール２８を乗り越えて、遊技領域１８Ａまで到達させることができてしまう。
【０００７】
特に、不正行為部材を侵入させるゴト行為の多くは、入賞口上部の釘曲げや大当たり時に解放される大入賞口（Ｖゾーン）の抉じ開けを目的としており、いずれも遊技領域１８Ａの下の方に配設されているため、下皿出口２４からファール球戻り口１６を通して不正行為部材を侵入させる場合には、短距離で目的の位置へ到達できてしまうという問題があった。
【０００８】
本発明は、前記従来の問題点を解決するべくなされたもので、構造上塞ぐことができない下皿出口及びファール球戻し口と空間を介して連通する球通路を通して不正行為部材を遊技領域へ侵入させて行なう不正行為を確実に防止することができるパチンコ遊技機を提供することを課題とする。
【課題を解決するための手段】
【０００９】
本発明は、発射球を遊技領域への投入位置まで案内すると共に、遊技領域へ投入されなかったファール球を、該球を下皿出口へ落下させるファール球戻り口まで案内する球経路と、該球経路と遊技領域との間を仕切ると共に、該遊技領域に投入され、入賞しなかったアウト球を、下端に位置するアウト口へ案内する内レールと、遊技領域を覆う開閉可能な前面扉ユニットと、を備えたパチンコ遊技機において、前面扉ユニットを閉じたときに、該前面扉ユニットと前記内レールとの間に、両者間の隙間を密閉するパッキン材を、前記ファール球戻り口の上方に位置し、且つ、前記球経路に連通する空間の球発射方向始点に対応する内レール上の位置から、球発射方向に位置する内レールの全長又は一部に亘って配設したことにより、前記課題を解決したものである。
【００１０】
本発明は、又、前記前面扉ユニットには、周囲がガラスフレームで支持されたペアガラスユニットが嵌め込まれており、前記パッキン材が、前記ガラスフレームに形成されている溝部に嵌挿され、前記内レールの前記ペアガラスユニット側の前端に、前記パッキン材が当接するパッキン受け部が形成されているようにしてもよい。
【発明の効果】
【００１１】
本発明によれば、発射球を案内する球通路と遊技盤面に形成された遊技領域とを隔てる位置にある内レールと、遊技中は遊技領域を覆うガラス板が保持されている前面扉ユニットとの間に、両者間の隙間を塞ぐパッキン材を、不正行為部材が実質的に到達可能な範囲に配設するようにしたので、下皿出口から侵入させるピアノ線等の不正行為部材の遊技領域への侵入を確実に防止することができる。
【発明を実施するための最良の形態】
【００１２】
以下、図面を参照して、本発明の実施の形態について詳細に説明する。
【００１３】
図３には、本発明に係る一実施形態のパチンコ遊技機の外観を示す。この図には、前面扉ユニット３０が、外枠ユニット３２に開閉可能に嵌め込まれているプラ枠ユニット３４に対して、開放されている状態が示してある。
【００１４】
又、図４には、前面扉ユニット３０を外枠ユニット３２から外した状態を示すように、遊技盤１８上の遊技領域１８Ａを遮蔽するための２枚のガラスからなるペアガラスユニット３６が、該前面扉ユニット３０に開閉可能に嵌め込まれる構造になっており、図示は省略するが遊技盤１８も、プラ枠ユニット３４に着脱可能な構造で嵌め込まれている。
【００１５】
上記ペアガラスユニット３６は、前面扉ユニット３０から取り外し、裏側（遊技盤１８側）から見た状態を図５に、そのＺ−Ｚ断面を図６に示すように、遊技盤（領域）１８の外周形状とほぼ同じ、ほぼ円形の前側（遊技者側）ガラス３６Ａ及び後側ガラス３６Ｂの周縁部を、それぞれガラスフレーム３８に接着して形成されていると共に、後側ガラス３８Ｂの外周位置に、ゴム等の弾性体からなるパッキン材４０が配設されている。
【００１６】
このパッキン材４０は、図６に示されるように後側ガラス板３６Ｂの外周に位置するガラスフレーム３８に、所定範囲に亘って形成されている溝部３８Ａに嵌挿され、その底部で両面テープ（図示せず）に貼着されており、遊技盤１８側に位置する先端部４０Ａは、後側ガラス板３６Ｂの裏面と同一高さのフレーム裏面３８Ｂより１ｍｍ程度突出されている。
【００１７】
この溝部３８Ａは、前面扉ユニット３０を閉じた時に、前記図２に矢印Ｓで示した球経路１４に連通する空間の球発射方向（矢印Ａで示す）の始点位置に対応する、内レール２８の始点対応位置Ｓ’から、該内レールの球発射方向のほぼ１／４周範囲の終点Ｅの位置まで形成され、図５に斜線で示したように該溝部３８Ａの全長に亘ってパッキン材４０が嵌挿されている。
【００１８】
このパッキン材４０は、前面扉ユニット３０を開いた状態を示した前記図３に斜線を付して示してあるように、該前面扉ユニット３０を閉じると対向する範囲の内レール２８に形成されたパッキン受け部２８Ａに当接するようになっている。
【００１９】
前記空間の始点位置Ｓは、球通路１４に連通する空間の球発射方向の後端であり、図示は省略するが、この位置より後方には不正行為部材は侵入させることができないようになっている。
【００２０】
又、球発射方向の終端位置Ｅは、不正行為を防止するために十分な範囲であり、具体的には設計時に決定する。但し、必要に応じ任意に変更可能であり、前記投入位置１４Ａに到る全長であってもよい。
【００２１】
図７に、前面扉ユニット３０を閉じた時の、前記図６に対応する位置における断面図を示すように、内レール２８の前面扉ユニット３０側（ペアガラスユニット側）の先端部には、外側（球Ｂが通る球経路１４側）にＬ字形状に折り曲げられたパッキン受け部２８Ａが、前記溝部３８Ａと同範囲に亘って形成され、前面扉ユニット３０を閉じて遊技可能状態にすると、該パッキン受け部２８Ａがパッキン材４０の先端４０Ａに当接する。
【００２２】
即ち、遊技盤１８の周囲に、遊技領域１８Ａと球経路１４とを仕切るために、所定のＲ形状で配設されている内レール２８には、ペアガラスユニット３６側の先端部外側に、フランジ形状のパッキン受け部２８Ａを形成すると共に、該ペアガラスユニット３６のガラスフレーム３８には、該パッキン受け部２８Ａとほぼ同一のＲ形状で形成されたパッキン材４０を配設し、前面扉ユニット３０を閉じると該パッキン材４０がパッキン受け部２８Ａに当接し、１ｍｍ程度突出している先端４０Ａが圧縮されて潰し込まれるようになっている。
【００２３】
以上の構成からなる本実施形態においては、前面扉ユニット３０を閉じると、パッキン材４０はパッキン受け部２８Ａにより遊技機の前後方向に１ｍｍ程度潰し込まれることになるため、下皿出口２２から侵入されたピアノ線等のゴト行為部材は潰し込まれたパッキン材４０により、球経路１４又はこれに連通する空間から内レール２８を乗り越えて短距離で遊技領域１８Ａの入賞口や大入賞口へ到達することができなくなり、非常に高いゴト防止効果を発揮することができる。
【００２４】
以上説明したように、本実施形態によれば以下の効果が得られる。
【００２５】
（１）遊技盤の周囲に配設されている内レール２８にパッキン受け部２８Ａを設けると共に、前面扉ユニット３０を閉じた時にパッキン受け部２８ＡのＲ形状とほぼ合うＲ形状を持つパッキン材４０をペアガラスユニットのガラスフレーム３８に嵌設し、且つ、前面扉ユニット３０を閉じた時にパッキン材４０の先端４０Ａを遊技機の前後方向に潰し込むことができるようにしたので、球経路１４と遊技領域１８Ａとの隙間を無くすことによって、球経路１４等から侵入してくる不正行為部材の遊技領域１８Ａへの侵入を防止することができ、下皿出口２２から不正行為を確実に防止することができる。
【００２６】
なお、パッキン材４０は、必ずしもガラスフレーム３８でなく、その周囲の前面扉ユニット３０上に配設できるようにしてもよい。又、パッキン材４０は、内レール２８側に付設し、パッキン受け部をペアガラスユニット３６（前面扉ユニット３０）側に設けてもよい。
【図面の簡単な説明】
【００２７】
【図１】パチンコ遊技機を構成するプラ枠ユニットを示す正面図
【図２】図１から下皿とその上のカバーを除いた状態を示す正面図
【図３】前面扉ユニットを開いた状態のパチンコ遊技機を示す斜視図
【図４】前面扉ユニットとペアガラスユニットの関係を示す斜視図
【図５】実施形態に適用されるペアガラスユニットの裏側を示す背面図
【図６】図５のＺ−Ｚ位置の部分断面図
【図７】本実施形態の作用を示す、図６に対応した位置の部分断面図
【符号の説明】
【００２８】
１０…プラ枠ユニット
１２…打撃槌
１４…球経路
１６…ファール球戻り口
１８…遊技盤
１８Ａ…遊技領域
２０…下皿
２２…下皿出口
２４…カバー
２６…アウト口
２８…内レール
２８Ａ…パッキン受け
３０…前面扉ユニット
３２…外枠ユニット
３４…プラ枠ユニット
３６…ペアガラスユニット
３６Ａ…内側ガラス板
３６Ｂ…外側ガラス板
３８…ガラスフレーム
３８Ａ…溝部
３８Ｂ…裏面
４０…パッキン材
【図１】
2008119246.tif 000003
【図２】
2008119246.tif 000004
【図３】
2008119246.tif 000005
【図４】
2008119246.tif 000006
【図５】
2008119246.tif 000007
【図６】
2008119246.tif 000008
【図７】
2008119246.tif 000009